(57)【要約】      （修正有）【課題】スラブの貫通孔を形成するための型枠において、該スラブのコンパネ型枠への設置が容易で且つ転用可能にして産業廃棄物とならない簡単に解体撤去できるスラブの貫通孔形成型枠の底板を提供する。【解決手段】スラブに設ける貫通孔を形成するための型枠の部材であってスラブのコンパネ型枠に設置されると該外周部の概ね扇状の数枚の可動折れ部３の端部１２は拡がり平面視にて拡径し硬質塩化ビニル管を内側から支保する。この際隣接する可動折れ部３が競合しない程度に又設置前に若干下方に向いている可動折れ部３が水平になっても該中央部と競合しない程度にそれぞれ空隙１７、及び空隙１４を有する形態を成す。また、該貫通孔形成型枠が解体される際には可動折れ部３は本来の下方向きに戻り、結果平面視にて該端部１２は縮径するので塩化ビニル管に働いている側圧が開放され、型枠の撤去が容易になる。【選択図】図２
0003175608.tif 000002
【実用新案登録請求の範囲】
【請求項１】
設備配管等の配管工事に先立って予めスラブに設ける貫通孔を形成するための型枠部材であって型枠設置の際は該型枠の筒体を内側から所定径に保持し型枠撤去の際は該外周部に鋭端部１２、肉薄部１３及び逃げの空隙１４で構成される数箇所の可動折れ部３を有することで型枠の各部材を破損することなく簡単に撤去回収できるスラブ貫通孔形成型枠の底板。
【考案の詳細な説明】
【技術分野】
【０００１】  本発明は、鉄筋コンクリート造の建築物のスラブの貫通孔形成工事において使用する型枠に関する。
【背景技術】
【０００２】  従前、鉄筋コンクリート造の建築物のスラブには鉛直方向の配管を通すための貫通孔を施工するが、該型枠としてボイド管（厚紙で作られた筒）を使用している。該ボイド管によって形成される貫通孔は、配管が敷設されるという目的のため通り芯が重要であり、したがって該型枠は生コンの打設に際して位置ずれしない様、スラブのコンパネ型枠に墨出しされた位置に釘や木ネジで固定された肉厚の円盤状のガイドにしっかりと嵌合される。
また、型枠として使用されたボイド管の撤去はコンクリート固化後、これを破損して解体するので所謂使い捨てされる。
【考案の概要】
【考案が解決しようとする課題】
【０００３】  上述のごとくコンクリート固化後の該ボイド管の撤去においては生コン打設時の残留圧も働いて引き抜くことができないので破損解体しており、この煩雑な作業に多くの時間を費やしている。さらに破損した該ボイド管は転用できないので産業廃棄物として処理しなければならずその処理費用もさることながら焼却処理による環境への影響という問題もある。
【課題を解決するための手段】
【０００４】  本発明者は鋭意研究した結果、スラブの貫通孔を形成するための型枠において該スラブのコンパネ型枠への設置が容易で且つ転用可能にして産業廃棄物とならない簡単に解体撤去できるスラブの貫通孔形成型枠を開発することに成功した。
まず、該型枠の設置に関してはスラブのコンパネ型枠に貫通孔センターの墨出しさえしてあれば簡単に取り付けられること、またコンクリート固化後の撤去に関しては該型枠の筒部に硬質塩化ビニル管を加工使用することで破損することなく取り外せる即ち転用できることを特徴とするスラブの貫通孔形成型枠を提供する。【０００５】  以下、本発明を図に従い、詳しく説明する。図１は本発明による型枠を構成する部材のイメージ図である。ここで符号１は樹脂製の型枠の底板で符号２の木ネジ部がスラブのコンパネ型枠にねじ込まれると外周の可動折れ部３が水平になり、結果的に外径が拡がる構造を有している。符号４は上述ねじ込んだとき底板１が上方に上がるのを防止しているナットである。なお底板１の詳細については図２（ａ）、（ｂ）で述べる。
符号５は全ネジのボルトでその下端部には木ネジ２が、又上方には符号６の鋼線が上述ねじ込み用のハンドルとしてそれぞれ溶接されている。
符号７の筒体は市販の硬質塩化ビニル管であり、軸方向全長に渡って半径方向と４５度の角度を成す切り割り加工８を施してあるので内側から支保されないときは自己縮径する。符号９は筒体７を所定の径に保持するための鍔付きの上蓋であり、符号１０はワッシャである。
以上各部材の組み付けが終了した後、蝶ナット１１で固定する。これは生コン打設時の浮き上がり防止を兼ねている。
図２（ａ）は底板１の側断面図であり、ここで符号１２は可動折れ部３が水平になったとき筒体７の内面に接して該筒体の内径を所定寸法に保持する部分、符号１３は折れ部３を可動たらしめるための肉薄部、符号１４は符号３が水平になったときの逃げの空隙、符号１５は木ネジ２の頭が納まる空隙そして符号１６は全ネジのボルト５の貫通孔である。
図２（ｂ）は底板１の平面図であり、ここで符号１７は符号３が拡がったときの逃げの空隙である。
図３はコンクリートを打設した状態の側断面図であり、ここで符号１８は生コン打設時の側圧に抗するべく底板１と上蓋８の近傍に巻いた結束線である。また符合１９はスラブのコンパネ型枠、符号２０は打設されたコンクリートである。
本発明によるスラブ貫通孔形成型枠は以上のごとくの構成から成り、該設置手順はまず木ネジ２の先端部を墨出しされた所定位置に合わせてからハンドル６を廻して締め込んでいくとナット４によって上方への動きを束縛された底板１の可動折れ部３が開き水平位置に達したとき筒体７の所定の内径となった状態で固定される。その後、順に符号７、符号９、符号１０をセットし、最後に蝶ナット１１で締め込めば型枠全体がスラブのコンパネ型枠に固定されるが、念のために結束線１８で底板１及び上蓋９の近傍を筒体７の外側から結束する。
また、コンクリート固化後の撤去の手順は上部の符号１８、符号１１、符号１０、符合９の順に外した後ハンドル６を逆回しすると底板１の外周部が折れて縮径するので簡単にこれを撤去できる。
ここで内側からの保持力を失った筒体７は硬質塩化ビニル管の性質で自己縮径するので簡単に引き出すことができ結束線を除くすべての型枠部材を破損することなく回収できる。
【考案の効果】
【０００６】  本発明によるスラブ貫通孔形成型枠は上述のごとく設置及び撤去が極めて簡単でしかも転用できるのでコストを低減できるのみならず、従前ボイド管のように産業廃棄物を出さないので環境保全の観点からも有益である。
【図面の簡単な説明】
【０００７】
【図１】  本発明品を構成するイメージ図である。
【図２】  （ａ）底板１の側断面図  （ｂ）底板１の平面図
【図３】  本発明品の施工断面図である。
【考案を実施するための形態】
【０００８】  本発明による貫通孔形成型枠は、鉄筋コンクリート造の建築物のスラブを貫通する設備配管等の工事に先立って該スラブに設ける貫通孔を形成するために使用される。
【実施例】
【０００９】  上階の躯体スラブ厚１８０ｍｍの建築現場で１１０φの貫通孔に対して本発明品１個を１０回に亘り転用した。底板は外径１００φ、厚さ１５ｍｍ、全ネジボルトはＭ８で全長２１０ｍｍとしその下端部に長さ２５ｍｍの木ネジを又上端から５０ｍｍ下がったところにハンドルとなる８φで長さ８０ｍｍの丸鋼をそれぞれ溶接、筒部は市販のＶＵ管（外径１１４φ）を軸方向全長に切り割り加工また上蓋はＶＵ管との嵌合部の外径１００φ、長さ１５ｍｍで同じく鍔部の外径１１５φ、厚さ５ｍｍ以上の構成で実施したが、１０回の転用における設置、撤去作業に何らの支障もなく、特に撤去作業においては従前ボイド管では一箇所当り１０〜１２分を要していたが、本発明品では同じく４〜５分で終了した。
【産業上の利用可能性】
【００１０】  本考案による型枠は、鉄筋コンクリート造の建築物のスラブの貫通孔を形成する上での取り扱いが極めて簡単で迅速に作業が行えることによる経済的効果と転用されることによる環境保全に対する貢献とにおいて著しい向上が期待され、その市場性は充分にあると考えられる。
【符号の説明】
【００１１】  １，  底板
２，  木ネジ
３，  底板外周の可動折れ部
４，  ナット
５，  全ネジボルト
６，  ハンドル
７，  硬質塩化ビニル管
８，  切り割り
９，  上蓋
１０，  ワッシャ
１１，  蝶ナット
１２，  底板の外周端部
１３，  肉薄部
１４，  逃げの空隙
１５，  空隙
１６，  貫通孔
１７，  逃げの空隙
１８，  結束線
１９，  コンパネ型枠
２０，  コンクリート
【図１】
0003175608.tif 000003
【図２】
0003175608.tif 000004
【図３】
0003175608.tif 000005
【手続補正書】
【提出日】平成24年2月27日(2012.2.27)
【手続補正１】
【補正対象書類名】実用新案登録請求の範囲
【補正対象項目名】全文
【補正方法】変更
【補正の内容】
【実用新案登録請求の範囲】
【請求項１】
スラブに設ける貫通孔を形成するための型枠の部材であってスラブのコンパネ型枠に設置されると該外周部の概ね扇状の数枚の可動折れ部３の端部１２は拡がり平面視にて拡径し硬質塩化ビニル管７を内側から支保するが、この際隣接する可動折れ部３が競合しない程度に又設置前に若干下方に向いている可動折れ部３が水平になっても該中央部と競合しない程度にそれぞれ空隙１７、及び空隙１４を有する形態を成す一方、該貫通孔形成型枠が解体される際には可動折れ部３は本来の下方向きに戻り、結果平面視にて該端部１２は縮径するので塩化ビニル管７に働いている側圧が開放され、型枠の撤去が容易に成し得ることを特徴とするスラブ貫通孔形成型枠の底板。